(57)【特許請求の範囲】
【請求項１】
外線との接続をインタフェースする外線接続部と、
内線端末との接続をインタフェースする内線接続部と、
前記外線と前記内線端末との接続を制御する制御部と、
を備え、
前記制御部は、
前記外線接続部が、外線からの着信を受けて、
前記内線接続部が、内線端末への着信呼出中に、
前記外線からの着信が放棄され、
前記内線接続部が、前記内線端末からの前記着信に対する着信応答を検出した場合に、
前記内線端末が、前記外線への発信を規制されていない端末であった場合、
前記内線端末を前記外線に接続し、
前記内線端末が、前記外線への発信を規制されている端末であった場合、
前記内線端末を前記外線に接続しない、
構内交換機。
【請求項２】
前記外線からの着信の着信信号は、オン期間とオフ期間の繰返し信号であり、
前記制御部は、
前記オフ期間中に、前記外線からの着信が放棄され、前記着信応答が検出された場合に、
前記内線端末が、前記外線への発信を規制されていない端末であった場合、
前記内線端末を前記外線に接続し、
前記内線端末が、前記外線への発信を規制されている端末であった場合、
前記内線端末を前記外線に接続しない、
請求項１に記載の構内交換機。
【請求項３】
前記外線接続部は、ダイヤルトーン検出部を備え、
前記制御部は、
前記外線からの着信中に、前記内線端末からの前記着信に対する着信応答を検出し、
前記外線接続部が、前記外線着信に応答したところ、前記外線からのダイヤルトーンを検出した場合、
前記外線からの着信が放棄されたと判断する、
請求項１又は２に記載の構内交換機。
【請求項４】
前記制御部は、
前記外線からの着信中に、前記外線からの着信が放棄された場合、
前記内線端末に前記外線からの着信を通知するための着信通知の送信を停止する、
請求項１乃至３のいずれか１項に記載の構内交換機。
【請求項５】
前記制御部は、
前記外線からの着信中に、前記外線からの着信が放棄され、
前記内線端末からの前記着信に対する着信応答が検出された場合に、
前記内線端末が前記外線への発信を規制されている端末であった場合、
前記内線端末にビジートーンを送信する、
請求項１乃至４のいずれか１項に記載の構内交換機。
【請求項６】
前記着信応答は、前記内線端末がオフフックされたことにより発生する、
請求項１乃至５のいずれか１項に記載の構内交換機。
【請求項７】
外線からの着信を受けて、
内線端末への着信呼出中に、
前記外線からの着信が放棄され、
前記内線端末からの前記着信に対する着信応答が検出された場合に、
前記内線端末が、前記外線への発信を規制されていない端末であった場合、
前記内線端末を前記外線に接続し、
前記内線端末が、前記外線への発信を規制されている端末であった場合、
前記内線端末を前記外線に接続しない、
構内交換機の制御方法。
【請求項８】
前記外線からの着信の着信信号は、オン期間とオフ期間の繰返し信号であり、
前記オフ期間中に、前記外線からの着信が放棄され、前記着信応答が検出された場合に、
前記内線端末が、前記外線への発信を規制されていない端末であった場合、
前記内線端末を前記外線に接続し、
前記内線端末が、前記外線への発信を規制されている端末であった場合、
前記内線端末を前記外線に接続しない、
請求項７に記載の構内交換機の制御方法。
【請求項９】
前記外線からの着信中に、前記内線端末からの前記着信に対する着信応答が検出され、
前記外線着信に応答したところ、前記外線からのダイヤルトーンが検出された場合、
前記外線からの着信が放棄されたと判断する、
請求項７又は８に記載の構内交換機の制御方法。
【請求項１０】
前記外線からの着信中に、前記外線からの着信が放棄された場合、
前記内線端末に前記外線からの着信を通知するための着信通知の送信を停止する、
請求項７乃至９のいずれか１項に記載の構内交換機の制御方法。
【請求項１１】
前記外線からの着信中に、前記外線からの着信が放棄され、
前記内線端末からの前記着信に対する着信応答が検出された場合に、
前記内線端末が前記外線への発信を規制されている端末であった場合、
前記内線端末にビジートーンを送信する、
請求項７乃至１０のいずれか１項に記載の構内交換機の制御方法。
【請求項１２】
前記着信応答は、前記内線端末がオフフックされることにより発生する、
請求項７乃至１１のいずれか１項に記載の構内交換機の制御方法。
【請求項１３】
コンピュータに、
請求項７乃至１２のいずれか１項に記載の構内交換機の制御方法を実行させる、
構内交換機の制御プログラム。
【発明の詳細な説明】
【技術分野】
【０００１】
本開示は、構内交換機、構内交換機の制御方法、及び構内交換機の制御プログラムに関し、特に、外線着信が途中放棄された場合でも、途中放棄であることを正しく認識し、外線発信規制が掛けられた内線端末からの外線発信を正しく規制することが可能な構内交換機、構内交換機の制御方法、及び構内交換機の制御プログラムに関する。
【背景技術】
【０００２】
アナログ局線（外線）からの電話着信は、例えば日本の場合、１６Ｈｚ（ヘルツ）の交流信号であって１秒間のオン期間とそれに続く２秒間のオフ期間という間欠の繰返しの該交流信号が着信信号として公衆交換機から送信される。電話着信を受けた構内交換機は、着信信号が無い２秒間のオフ期間でも着信が継続していると判断し、電話着信を内線電話機に伝える。このため、発信者がオフ期間中に呼（着信）を放棄した場合でも、構内交換機は未だ着信が継続しているとして判断し、電話着信を内線電話機に伝えてしまう。一方、この場合、公衆交換機は、呼が放棄されたと判断し着信信号の送出を止め、アナログ局線をアイドル状態に移行させる。そして、着信のオフ期間中に内線電話機が着信応答としてオフフックされると、構内交換機はアナログ局線に対し回線を閉結し内線電話機とアナログ局線（外線）を接続するため、公衆交換機は新たな発信と認識しダイヤルトーンを送出してダイヤル信号待ち状態に移行する。このように、アナログ局線（外線）が着信中に途中放棄された場合でも、内線電話機から着信応答を受信した場合、該着信応答を新たな発信と認識し内線電話機を外線に接続することがある。そして、着信応答した内線電話機が外線発信を規制されている電話機である場合でも、構内交換機は、外線に対する着信応答だと判断し内線電話機を外線に接続してしまう。すなわち、外線発信を規制された内線電話機であるにもかかわらず、外線発信が出来てしまうという問題があった。
【０００３】
特許文献１の００１６段落には、「構内交換機は、外線との通信を行う外線インタフェース部と、内線に接続された電話機との通信を行う内線インタフェース部と、ＤＴＭＦ信号を発生するＤＴＭＦ発生部と、全体を制御する制御部とを有し、制御部は、内線インタフェース部への着信を検出すると、ＤＴＭＦ発生部を制御して電話機にＤＴＭＦ信号を出力する。」と記載されている。また、特許文献１の００４７段落には、「外線（ＰＳＴＮ回線）または内線から内線インタフェース部への着信の有無を判定する内線着信判定手段と、着信した内線インタフェース部に電話機が接続されているか否かを判定する着信内線接続判定手段と、記憶部から情報を読み出す読出し手段と、内線インタフェース部への着信があった場合にはＤＴＭＦ発生部を制御して内線インタフェース部に接続された電話機にＤＴＭＦ信号を出力するＤＴＭＦ信号出力手段と、時間計測を行う計時手段と、電話機からの応答の有無を判定する電話機応答判定手段と、着信が終了したか否かを判定する着信終了判定手段と、を備える制御部」が記載されている。しかしながら、特許文献１には、外線着信が途中放棄された場合でも、途中放棄であることを正しく認識し、外線発信規制が掛けられた内線端末（電話機）からの外線発信を正しく規制することは、記載されていない。
【０００４】
特許文献２の００１７段落には、「ダイヤルを分析した結果、発信が規制されているダイヤルであった場合は、制御部は、標準電話機と外線との接続を切断し、処理を終了する。」と記載されている。しかしながら、特許文献２には、外線着信が途中放棄された場合でも、途中放棄であることを正しく認識し、外線発信規制が掛けられた内線端末（電話機）からの外線発信を正しく規制することは、記載されていない。
【先行技術文献】
【特許文献】
【０００５】
【特許文献１】特開２００５−０３３５２６号公報
【特許文献２】特開２００２−２９１００７号公報
【発明の概要】
【発明が解決しようとする課題】
【０００６】
上記のとおり、アナログ局線（外線）が着信中に途中放棄された場合でも、内線電話機から着信応答を受信した場合、該着信に対する応答として、内線電話機を外線に接続することがあった。そして、特に、内線電話機が外線発信を規制された電話機である場合、外線発信を規制された内線電話機であるにもかかわらず、外線への発信が出来てしまうという問題があった。
【０００７】
本開示の目的は、上述した課題を解決する構内交換機、構内交換機の制御方法、及び構内交換機の制御プログラムを提供することにある。
【課題を解決するための手段】
【０００８】
本開示に係る構内交換機は、
外線との接続をインタフェースする外線接続部と、
内線端末との接続をインタフェースする内線接続部と、
前記外線と前記内線端末との接続を制御する制御部と、
を備え、
前記制御部は、
前記外線接続部が、外線からの着信を受けて、
前記内線接続部が、内線端末への着信呼出中に、
前記外線からの着信が放棄され、
前記内線接続部が、前記内線端末からの前記着信に対する着信応答を検出した場合に、
前記内線端末が、前記外線への発信を規制されていない端末であった場合、
前記内線端末を前記外線に接続し、
前記内線端末が、前記外線への発信を規制されている端末であった場合、
前記内線端末を前記外線に接続しない。
【０００９】
本開示に係る構内交換機の制御方法は、
外線からの着信を受けて、
内線端末への着信呼出中に、
前記外線からの着信が放棄され、
前記内線端末からの前記着信に対する着信応答が検出された場合に、
前記内線端末が、前記外線への発信を規制されていない端末であった場合、
前記内線端末を前記外線に接続し、
前記内線端末が、前記外線への発信を規制されている端末であった場合、
前記内線端末を前記外線に接続しない。
【００１０】
本開示に係る構内交換機の制御プログラムは、
外線からの着信を受けて、
内線端末への着信呼出中に、
前記外線からの着信が放棄され、
前記内線端末からの前記着信に対する着信応答が検出された場合に、
前記内線端末が、前記外線への発信を規制されていない端末であった場合、
前記内線端末を前記外線に接続し、
前記内線端末が、前記外線への発信を規制されている端末であった場合、
前記内線端末を前記外線に接続しない、
前記構内交換機の制御方法を実行させる。
【発明の効果】
【００１１】
本開示によれば、外線着信が途中放棄された場合でも、途中放棄であることを正しく認識し、外線発信規制が掛けられた内線端末からの外線発信を正しく規制することが可能な構内交換機、構内交換機の制御方法、及び構内交換機の制御プログラムを提供することができる。
【図面の簡単な説明】
【００１２】
【図１】実施の形態に係る構内交換機を例示するブロック図である。
【図２】着信応答の１つのパターンを例示する図である。
【図３】着信応答の別の１つのパターンを例示する図である。
【図４】途中放棄の１つのパターンを例示する図である。
【図５】途中放棄の別の１つのパターンを例示する図である。
【図６】途中放棄と着信応答の１つのパターンを例示する図である。
【図７】途中放棄と着信応答の別の１つのパターンを例示する図である。
【図８】途中放棄と着信応答のさらに別の１つのパターンを例示する図である。
【図９】実施の形態に係る構内交換機を含むシステムを例示するブロック図である。
【図１０】実施の形態に係る構内交換機の動作を例示するシーケンス図である。
【図１１】実施の形態に係る構内交換機の動作を例示するフローチャートである。
【発明を実施するための形態】
【００１３】
以下、図面を参照して本発明の実施の形態について説明する。各図面において、同一又は対応する要素には同一の符号が付されており、説明の明確化のため、必要に応じて重複説明を省略する。
【００１４】
［実施の形態］
実施の形態に係る構内交換機の概要を説明する。
図１は、実施の形態に係る構内交換機を例示するブロック図である。
【００１５】
図１に示すように、実施の形態に係る構内交換機１１は、制御部１１１と、内線接続部１１２と、外線接続部１１３と、を備える。外線は、例えば、アナログ公衆網と接続する回線のことである。
【００１６】
外線接続部１１３は、外線との接続をインタフェースする。内線接続部１１２は、内線端末１２との接続をインタフェースする。制御部１１１は、外線と内線端末１２との接続を制御する。
【００１７】
外線接続部１１３は、外線から内線端末１２への着信、すなわち外線からの呼出信号を検出する。制御部１１１は、内線端末１２への着信があった旨を含む着信に関する情報を着信情報として内線端末１２へ通知する。内線端末１２は、該着信に応答する場合、着信応答に関する情報を含む応答情報を構内交換機１１に送信する。
【００１８】
内線接続部１１２は、内線端末１２が着信に応答するためにオフフックした着信応答を検出する。ここで、内線端末１２への着信中に外線が放棄され、該着信中に着信応答が検出された場合、すなわち外線の途中放棄と内線端末１２の着信応答とが衝突した場合、内線端末１２にダイヤルトーンが聴取されることがあるため、外線への発信を規制されている内線端末１２であっても外線への発信が可能になることがある（詳細は後述する）。
【００１９】
そこで、制御部１１１は、外線接続部１１３が、外線からの着信を受けて、内線接続部１１２が、内線端末１２への着信呼出中に、外線からの着信が放棄され、内線接続部１１２が、内線端末１２からの着信に対する着信応答を検出した場合に、内線端末１２が、外線への発信を規制されていない端末であった場合、内線端末１２を外線に接続する。制御部１１１は、この場合、内線端末１２が、外線への発信を規制されている端末であった場合、内線端末１２を外線に接続しない。尚、内線端末を内線電話機と称することもある。
【００２０】
これにより、外線から外線への発信を規制された内線端末１２への着信中に内線端末１２からの着信応答が検出された場合であっても、該着信中に外線が放棄された場合には、外線と内線端末１２とを接続しない。
【００２１】
その結果、外線着信が途中放棄された場合でも、途中放棄であることを正しく認識し、外線発信規制が掛けられた内線端末からの外線発信を正しく規制することが可能な構内交換機を提供することができる。
【００２２】
尚、制御部１１１は、外線からの着信中に、外線からの着信が放棄された場合、内線端末１２に外線からの着信を通知するための着信通知の送信を停止する。これにより、内線端末１２を使用するユーザは、外線の着信が放棄されたことを知るので、内線端末１２を操作する必要が無くなる。
【００２３】
また、制御部１１１は、外線からの着信中に、外線からの着信が放棄され、内線端末１２からの着信に対する着信応答が検出された場合に、内線端末１２が外線への発信を規制されている端末であった場合、内線端末１２にビジートーンを送信する。これにより、内線端末１２を使用するユーザは、内線端末１２に出た場合に外線の着信が放棄されたことを知ることができる。
【００２４】
実施の形態に係る構内交換機の詳細を説明するために、内線端末への着信応答と外線の途中放棄について説明する。
【００２５】
図２は、着信応答の１つのパターンを例示する図である。
図２は、呼出信号のオン期間に着信応答した場合を示す。図２の横軸は、時間を示す。
図３は、着信応答の別の１つのパターンを例示する図である。
図３は、呼出信号のオフ期間に着信応答した場合を示す。図３の横軸は、時間を示す。
【００２６】
図２及び図３に示すように、アナログ公衆網から内線端末１２への着信を通知するための呼出信号は、オン（ОＮ）期間とそれに続くオフ（ОＦＦ）期間という間欠の繰返しの信号としてアナログ公衆網内の公衆交換機（図示せず）から構内交換機１１に送信される。尚、呼出信号を着信信号と称することもある。
【００２７】
図２に示すように、内線端末１２は、呼出信号の（鳴動状態の）オン期間に着信応答した後に通話状態に移行する。また、図３に示すように、内線端末１２は、呼出信号のオフ期間に着信応答した後に通話状態に移行する。内線端末１２による着信応答は、呼出信号のオン期間内に行われてもよいし、オフ期間内に行われてもよい。
【００２８】
図４は、途中放棄の１つのパターンを例示する図である。
図４は、呼出信号のオン期間に途中放棄した場合を示す。図４の横軸は、時間を示す。
図５は、途中放棄の別の１つのパターンを例示する図である。
図５は、呼出信号のオフ期間に途中放棄した場合を示す。図５の横軸は、時間を示す。
【００２９】
図４に示すように、呼出信号の鳴動状態（オン期間）において、発信者が外線を途中放棄した場合、アナログ公衆網は即座に空き状態に移行する。一方、この場合、構内交換機１１は、途中放棄した後、例えば、途中放棄用タイマーのタイムアウト後に空き状態となる。構内交換機１１は、タイムアウトまでは着信状態を維持する。
【００３０】
図５に示すように、呼出信号のオフ期間において、発信者が外線を途中放棄した場合、アナログ公衆網は即座に空き状態に移行する。一方、この場合、構内交換機１１は、途中放棄した後、例えば、途中放棄用タイマーのタイムアウト後に空き状態となる。構内交換機１１は、タイムアウトまでは着信状態を維持する。
【００３１】
図６は、途中放棄と着信応答の１つのパターンを例示する図である。図６の横軸は、時間を示す。
図７は、途中放棄と着信応答の別の１つのパターンを例示する図である。図７の横軸は、時間を示す。
図８は、途中放棄と着信応答のさらに別の１つのパターンを例示する図である。図８の横軸は、時間を示す。
【００３２】
図６は、アナログ公衆網からの着信を示す呼出信号の鳴動状態（オン期間）において、内線端末１２の着信応答と発信者の途中放棄とが衝突した場合を示す。呼出信号のオン期間中に、内線端末１２が着信応答し、その直後に発信者が呼を放棄した場合である。この場合においては、内線端末１２の着信応答が、発信者の途中放棄の直前であるため、発信者は着信応答に気付かず、呼を途中放棄してしまうのである。発信者が呼を放棄することにより、内線端末１２は、ビジートーンを聴取し、復旧操作を行うことにより、空き状態となる。
【００３３】
図７は、アナログ公衆網からの着信を示す呼出信号の鳴動状態（オン期間）において、発信者の途中放棄と内線端末１２の着信応答とが衝突した場合を示す。呼出信号のオン期間中に、発信者が呼を途中放棄し、呼出信号がオフになった直後に、内線端末１２が着信応答した場合である。すなわち、発信者の途中放棄が、内線端末１２の着信応答の直前のため、内線端末１２の利用者が呼の放棄に気付かず、着信応答してしまうのである。なお、呼出信号のオン期間中に、発信者が呼を途中放棄し、呼出信号がオフになった場合でも、構内交換機１１は、発信者が呼を放棄したのか、呼出信号のオフ期間なのか、区別が付かないため、構内交換機１１は、未だ着信が継続しているものとみなして、内線端末１２に着信を伝え続ける。構内交換機１１は、着信信号がオンからオフに変化した時点で途中放棄用タイマーを起動し、着信信号の無いオフ期間が、途中放棄用タイマーのタイムアウトまで継続した場合、呼が放棄されたものとみなして、内線端末１２に着信を伝えることを止める。
【００３４】
前述した通り、発信者がオン期間中に呼（着信）を放棄した場合でも、構内交換機は未だ着信が継続しているものとみなして、内線端末１２に着信を伝え続ける。一方、アナログ公衆網の公衆交換機は、発信者が呼を放棄した場合、着信信号の送出を止めて、アイドル状態（空き状態）に移行する。この状態で、内線端末１２がオフフックされ着信に応答すると、構内交換機１１は、当該着信外線を閉結し捕捉する。発信者が呼を放棄することにより、アナログ公衆網は空き状態となり、空き状態に移行したアナログ公衆網（公衆交換機）は、内線端末１２からの着信応答を新たな発信と判断し、ダイヤルトーンを送出する。この場合、内線端末１２はダイヤルトーンを聴取しダイヤル操作が可能になる。
よって、この場合、内線端末１２から外線への発信が可能となる。
【００３５】
図８は、アナログ公衆網からの着信を示す呼出信号のオフ期間において、発信者の途中放棄と内線端末１２の着信応答とが衝突した場合を示す。この場合、構内交換機１１は、着信信号が無いオフ期間でも、外線からの着信が継続しているものとみなして、内線端末１２に着信を伝え続ける。すなわち、発信者がオフ期間中に呼（着信）を放棄した場合でも、構内交換機は未だ着信が継続しているものとみなして、内線端末１２に着信を伝え続ける。なお、構内交換機１１は、着信信号がオンからオフに変化した時点で途中放棄用タイマーを起動し、着信信号の無いオフ期間が、途中放棄用タイマーのタイムアウトまで継続した場合、呼が放棄されたものとみなして、内線端末１２に着信を伝えることを止める。
【００３６】
前述した通り、発信者がオフ期間中に呼（着信）を放棄した場合でも、構内交換機は未だ着信が継続しているものとみなして、内線端末１２に着信を伝え続ける。一方、アナログ公衆網の公衆交換機は、発信者が呼を放棄した場合、着信信号の送出を止めて、アイドル状態（空き状態）に移行する。この状態で、内線端末１２がオフフックされ着信に応答すると、構内交換機１１は、当該着信外線を閉結し捕捉する。もし、内線端末１２の着信応答が発信者の呼放棄よりも早かった場合、図６で説明したのと同じように、発信者の呼放棄に伴って、アナログ公衆網はビジートーンを送出する。もし、内線端末１２の着信応答が発信者の呼放棄よりも遅かった場合、図７で説明したのと同じように、空き状態に移行した公衆交換機は、内線端末１２の着信応答による回線閉結（構内交換機１１における着信外線の閉結）を新たな発信と判断し、ダイヤルトーンを送出する。この場合、内線端末１２はダイヤルトーンを聴取して、ダイヤル操作が可能になり、外線への発信が可能となる。
【００３７】
通常、構内交換機１１により局線発信（外線発信）を規制されている内線端末１２は、局線発信用の特殊番号を押下した場合でも、ビジートーンを聴取するため局線発信できない。
【００３８】
しかしながら、局線発信を規制している内線端末１２に外線着信があり、発信者の途中放棄と内線端末１２による着信応答が衝突し、ダイヤルトーンを聴取できる場合（図７及び図８参照）、局線発信を規制できずに、内線端末１２による局線発信が出来てしまう。
【００３９】
そこで、構内交換機１１の外線接続部１１３は、ダイヤルトーン検出部１１３ａを備える。制御部１１１は、外線からの着信中に、内線端末１２からの着信に対する着信応答を検出し、外線接続部１１３が、外線着信に応答したところ、外線からのダイヤルトーンを検出した場合、外線からの着信が放棄されたと判断する。
【００４０】
すなわち、構内交換機１１の制御部１１１は、外線からの着信に対し着信応答が検出され、外線着信に応答したところ、外線からのダイヤルトーンを検出した場合、外線からの着信が放棄されたと判断し、内線端末１２が、外線への発信を規制されていない端末であった場合、内線端末１２を外線に接続するが、内線端末１２が、外線への発信を規制されている端末であった場合、内線端末１２を外線に接続しない。
【００４１】
実施の形態に係る構内交換機のより詳細な構成及び動作を説明する。
図９は、実施の形態に係る構内交換機を含むシステムを例示するブロック図である。
図１０は、実施の形態に係る構内交換機の動作を例示するシーケンス図である。
図１１は、実施の形態に係る構内交換機の動作を例示するフローチャートである。
【００４２】
図９に示すように、実施の形態に係るシステム１０は、内線電話機１２と、内線電話機１２と外線とを接続する構内交換機１１と、を備える。電話機１３は、外線およびアナログ公衆網を介して、構内交換機１１と接続された内線電話機１２ａおよび内線電話機１２ｂと通信する。構内交換機１１は、制御部１１１と外線接続部１１３と内線接続部１１２とを備える。内線接続部１１２は、内線電話機１２ａと内線電話機１２ｂを収容する。制御部を中央制御部と称することもある。
【００４３】
外線接続部１１３は、アナログ公衆網（外線）との接続をインタフェースし、ダイヤルトーン検出部１１３ａを有する。内線電話機１２ａと内線電話機１２ｂとを総称して内線電話機１２と称する。
【００４４】
内線電話機１２は、外線から構内交換機１１を介して電話機１３からの着信を受信する受信部（図示せず）と、該着信に応答するための着信応答を構内交換機１１に送信する送信部（図示せず）と、を有する。
【００４５】
図９に示す各構成要素の枠組みは、１つの例であり、これには限定されない。各構成要素の枠組みは、図９に示されたものとは別のものでも良い。
【００４６】
実施の形態に係る構内交換機の動作を図１０及び図１１を使って説明する。
図１０に示すように、電話機１３からの発信に対してアナログ公衆網から呼出信号（ＩＲ）が発せられる（ステップＳ１０１）。構内交換機１１の外線接続部１１３は、アナログ公衆網から発せられた呼出信号（着信信号）を検出する（ステップＳ１０２）。外線接続部１１３は、呼出信号を検出したことを示す着信検出を制御部１１１に通知する（ステップＳ１０３）。
【００４７】
尚、図１１は、図１０に示す部分Ｂの動作の詳細を示すフローチャートである。
また、部分Ｂは、関連技術との差分であって、実施の形態に係る構内交換機１１の特徴を示す部分である。
【００４８】
制御部１１１は、内線を制御する内線接続部１１２に着信に関する情報を含む着信情報を通知する。内線接続部１１２は、着信のあった内線電話機１２ａに着信情報を通知する（ステップＳ１０４）。内線電話機１２ａは、着信情報を受信しリンガー鳴動を行う（ステップＳ１０５）。
【００４９】
外線接続部１１３は、呼出信号のオン（ＯＮ）からオフ（ＯＦＦ）に変化する時刻で途中放棄用タイマーを起動する（ステップＳ１０６）。外線接続部１１３は、呼出信号のオフ（ＯＦＦ）からオン（ＯＮ）の変化する時刻で途中放棄用タイマーを停止、又は中断する（ステップＳ１０７）。
【００５０】
ここで、内線電話機１２ａの着信応答（後述するステップＳ１１０）の前に、電話機１３の受話器がオンフックされた場合、着信の途中放棄として、アナログ公衆網からの呼出信号は停止する（ステップＳ１０８）。外線接続部１１３は、呼出信号が停止すると、途中放棄用タイマーを起動する（ステップＳ１０９）。途中放棄用タイマー起動後、所定の時間が経過してタイムアウトすると、構内交換機１１は、着信が途中放棄されたものとみなし、内線電話機１２ａに対する着信信号の送出を停止する。
【００５１】
途中放棄用タイマー起動後、所定の時間が経過してタイムアウトする前に、内線電話機１２ａの受話器がオフフックされた場合（ステップＳ１１０）、内線接続部１１２は、内線電話機１２ａの着信応答の検出を制御部１１１に通知し（ステップＳ１１１）、制御部１１１は、応答指示を外線接続部１１３に通知し（ステップＳ１１２）、外線接続部１１３は、応答指示に基づき、外線を捕捉（閉結）する。
【００５２】
但し、着信は既に放棄されているため、アナログ公衆網は、当該外線の捕捉を、新たな発信と認識し、当該外線に対しダイヤルトーンを送出する。なお、外線接続部１１３は、制御部１１１からの応答指示を受信した場合でも、ステップＳ１０９において起動した途中放棄用タイマーを停止する（ステップＳ１１３）。
【００５３】
図１０及び図１１に示すように、ステップＳ１１３の後、外線接続部１１３は、ダイヤルトーン検出部１１３ａが、アナログ公衆網から発せられたダイヤルトーンを検出したか否かをチェックする（ステップＳ１１４）。
【００５４】
外線接続部１１３は、ダイヤルトーン検出部１１３ａがダイヤルトーンを検出した場合（ステップＳ１１５：Ｙｅｓ）、ダイヤルトーンが検出された回線が、ステップＳ１０１の着信（呼出）の有った着信回線か否かをチェックする（ステップＳ１１６）。
【００５５】
外線接続部１１３は、ダイヤルトーンが検出された回線が、ステップＳ１０１の着信（呼出）の有った着信回線である場合（ステップＳ１１７：Ｙｅｓ）、ダイヤルトーンを検出した外線を切断（開放）する（ステップＳ１１９）。
【００５６】
外線接続部１１３は、ダイヤルトーンを検出した着信回線の復旧を、制御部１１１に通知する（ステップＳ１２０）。
【００５７】
制御部１１１は、内線接続部１１２を経由して着信応答した内線電話機１２ａにビジートーンを送出する（ステップＳ１２１）。内線電話機１２ａは、ビジートーンをユーザに聴取させる（ステップＳ１２２）。
【００５８】
構内交換機１１は、内線電話機１２ａを介して、ビジートーンをユーザに聴取させることにより、内線電話機１２ａの着信応答時の発信を規制することができる。
【００５９】
実施の形態に係る構内交換機１１の外線接続部１１３は、ダイヤルトーン検出部１１３ａがダイヤルトーンを検出し、ダイヤルトーンを検出した回線が着信回線である場合、切断信号をアナログ公衆網に送出するとともに、復旧を制御部１１１に通知する。構内交換機１１は、外線接続部１１３にダイヤルトーン検出部１１３ａを追加することにより、内線電話機１２ａの着信応答時の発信を規制することができる。
【００６０】
その結果、実施の形態によれば、アナログ外線着信が途中放棄された場合でも、途中放棄であることを正しく認識し、外線発信規制が掛けられた内線電話機からの外線発信を正しく規制することが可能な構内交換機を提供することができる。
【００６１】
すなわち、電話機１３の途中放棄と内線電話機１２ａの応答が外線接続部１１３またはアナログ公衆網で衝突した場合でも、応答した内線電話機１２ａではダイヤルトーンが聴取されず、ビジートーンが聴取されるので、外線発信を規制された内線電話機１２ａからの外線発信を規制することができる。
【００６２】
ここで、実施の形態に係る構内交換機１１の特徴を記載する。
アナログ局線（アナログ公衆網）からの着信時、着信した内線端末１２の応答とアナログ公衆網からの発信者の途中放棄が衝突することがある。この時、関連技術の構内交換機においては、アナログ公衆網からの発信者による途中放棄が、内線端末１２の応答操作（オフフック動作）よりも前に処理された場合、応答操作をした内線端末１２でビジートーンではなくアナログ公衆網のダイヤルトーンが聞こえる。このため、アナログ公衆網へのアナログ局線発信（外線発信）を規制している内線端末１２でも外線への発信が可能になってしまうことがある。
【００６３】
そこで、実施の形態に係る構内交換機１１においては、アナログ公衆網との回線インタフェースを有する外線接続部１１３にダイヤルトーン検出部１１３ａを実装する。外線接続部１１３は、ダイヤルトーン検出部１１３ａによって、アナログ局線のダイヤルトーンを検出させる。外線接続部１１３は、その後、着信回線を復旧させ、さらに、構内交換機１１の着信応答した内線端末１２にビジートーンを送出する。これにより、内線端末１２のユーザ（操作者）に着信応答の失敗、および、内線端末１２の復旧を促すことができるので、アナログ公衆網からの着信回線での外線発信を規制（抑制）することができる。
【００６４】
尚、上記の実施の形態では、本発明をハードウェアの構成として説明したが、本発明はこれに限定されるものではない。本発明は、各構成要素の処理を、ＣＰＵ（Central Processing Unit）にコンピュータプログラムを実行させることにより実現することも可能である。
【００６５】
上記の実施の形態において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実態のある記録媒体(tangible storage medium)を含む。非一時的なコンピュータ可読媒体の例は、磁気記録媒体（具体的にはフレキシブルディスク、磁気テープ、ハードディスクドライブ）、光磁気記録媒体（具体的には光磁気ディスク）、ＣＤ−ＲＯＭ（Read Only Memory）、ＣＤ−Ｒ、ＣＤ−Ｒ／Ｗ、半導体メモリ（具体的には、マスクＲＯＭ、ＰＲＯＭ（Programmable ROM）、ＥＰＲＯＭ(Erasable PROM)）、フラッシュＲＯＭ、ＲＡＭ(Random Access Memory)を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６６】
なお、本発明は上記実施の形態に限られたものではなく、趣旨を逸脱しない範囲で適宜変更することが可能である。
【符号の説明】
【００６７】
１１…構内交換機
１１１…制御部
１１２…内線接続部
１１３…外線接続部
１１３ａ…ダイヤルトーン検出部
１２…内線端末
１２ａ、１２ｂ…内線電話機
１３…電話機
Ｂ…部分
【要約】
【課題】外線着信が途中放棄された場合でも、途中放棄であることを正しく認識し、外線発信規制が掛けられた内線端末からの外線発信を正しく規制することが可能な構内交換機、構内交換機の制御方法、及び構内交換機の制御プログラムを提供すること。
【解決手段】本開示に係る構内交換機１１は、外線との接続をインタフェースする外線接続部１１３と、内線端末１２との接続をインタフェースする内線接続部１１２と、外線と内線端末１２との接続を制御する制御部１１１と、を備え、制御部１１１は、外線接続部１１３が、外線からの着信を受けて、内線接続部１１２が、内線端末１２への着信呼出中に、外線からの着信が放棄され、内線接続部１１２が、内線端末１２からの着信に対する着信応答を検出した場合に、内線端末１２が、外線への発信を規制されている端末であった場合、内線端末１２を外線に接続しない。
【選択図】図１【図１】
0006870872.tif 000002
【図２】
0006870872.tif 000003
【図３】
0006870872.tif 000004
【図４】
0006870872.tif 000005
【図５】
0006870872.tif 000006
【図６】
0006870872.tif 000007
【図７】
0006870872.tif 000008
【図８】
0006870872.tif 000009
【図９】
0006870872.tif 000010
【図１０】
0006870872.tif 000011
【図１１】
0006870872.tif 000012